(57)【特許請求の範囲】
【請求項１】
吸気口と排気口とを有する本体ケースと、この本体ケース内に前記吸気口から前記排気口に送風する送風手段と、この送風手段の風上側風路の前記吸気口近傍に加湿手段と、前記本体ケースの側面に湿度測定手段とを設け、この湿度測定手段は、湿度測定基板部と、略箱形状のケース部とから形成し、このケース部は、前記ケース部内と前記本体ケース外とを連通する第１のケース開口部を備え、前記ケース部内部に湿度測定基板部を設け、前記本体ケースは、前記本体ケースの一部が前記加湿手段から前記送風手段への風路の風下側である本体ケースの内方へ、へこんだ窪みである窪み部を有し、前記ケース部は、前記窪み部内に設けると共に、前記窪み部と前記ケース部との間に空間部を備え、この空間部を前記本体ケース外の空気が流れる加湿装置。
【請求項２】
送風手段は、ケーシングと、このケーシングに配設した電動機と、この電動機により回転する羽根とから形成し、前記ケーシングは、吸込口と吐出口とを有し、前記空間部は、第１の開口部と第２の開口部とを備え、前記第１の開口部は、前記本体ケース外と連通し、前記第２の開口部と、前記ケーシングの前記吸込口とを連通する連通路を設けた請求項１に記載の加湿装置。
【請求項３】
空間部の前記第１の開口部は、前記空間部の前記第２の開口部より上部に位置する構成とした請求項２に記載の加湿装置。
【請求項４】
湿度測定手段である前記湿度測定基板部は、基板部品と、この基板部品に装着された湿度測定部品とから形成し、前記基板部品は、前記ケース部と所定の距離を有した構成とした請求項１〜３のいずれかに記載の加湿装置。
【請求項５】
ケース部の周囲の前記空間部の前記第１の開口部は、前記吸気口と隣接した構成とした請求項２〜４のいずれかに記載の加湿装置。
【請求項６】
湿度測定手段である前記ケース部は、第２のケース開口部を備え、この第２のケース開口部は、前記ケーシングの前記吸込口とを前記連通路を介して連通した請求項２〜５のいずれかに記載の加湿装置。
【請求項７】
湿度測定手段である前記ケース部の前記第１のケース開口部は、前記湿度測定手段である前記ケース部の前記第２のケース開口部より上部に位置する構成とした請求項６に記載の加湿装置。
【請求項８】
湿度測定基板部である前記湿度測定部品は、前記第１のケース開口部に対向した位置に構成した請求項４〜７のいずれかに記載の加湿装置。
【請求項９】
連通路は、垂直連通路部分と水平開口部分とから形成し、前記空間部の前記第２の開口部と、前記ケース部の前記第２のケース開口部とは、前記連通路の前記垂直連通路部分に開口した請求項６〜８のいずれかに記載の加湿装置。
【発明の詳細な説明】
【技術分野】
【０００１】
本発明は、給水した加湿フィルターに通風することにより、室内を加湿する加湿装置に関する。
【背景技術】
【０００２】
従来のこの種の加湿装置の構成は以下のようになっていた。
【０００３】
すなわち、吸気口と排気口とを有する本体ケースと、この本体ケース内に前記吸気口から前記排気口に送風する送風手段と、この送風手段の風上側風路に加湿手段と、前記本体ケースの側面に湿度測定手段とを設け、この湿度測定手段は、湿度測定基板部と、略箱形状のケース部とから形成し、このケース部は、前記ケース部内と前記本体ケース外とを連通する第１のケース開口部を備え、前記ケース部内部に湿度測定基板部を設けた構成とした加湿装置。
【先行技術文献】
【特許文献】
【０００４】
【特許文献１】実開平２−０６２３３５号公報
【発明の概要】
【発明が解決しようとする課題】
【０００５】
上記従来例における課題は、加湿装置の自動加湿運転での使用感が悪いということであった。
【０００６】
すなわち、従来の物においては、本体ケースの側面に湿度測定手段を設け、この湿度測定手段の湿度測定値に基づいて、自動加湿運転を行うものである。ここで、湿度測定手段は、湿度測定基板部と、略箱形状のケース部とから形成し、このケース部は、前記ケース部内と前記本体ケース外とを連通する第１のケース開口部を備え、前記ケース部内部に湿度測定基板部を設けたので、湿度測定手段を内部に備えたケース部外面は、本体ケース内の空気と接触する為、本体ケース内の空気温度の影響を受ける。すなわち、ケース部内の温度が、本体ケース外の空気温度と異なるので、湿度測定手段である湿度測定基板部で測定する湿度測定値の精度が悪く、自動加湿運転での使用感が悪いものであった。
【０００７】
そこで本発明は、加湿装置の自動加湿運転での使用感の向上を目的とするものである。
【課題を解決するための手段】
【０００８】
そしてこの目的を達成するために本発明は、吸気口と排気口とを有する本体ケースと、この本体ケース内に前記吸気口から前記排気口に送風する送風手段と、この送風手段の風上側風路の前記吸気口近傍に加湿手段と、前記本体ケースの側面に湿度測定手段とを設け、この湿度測定手段は、湿度測定基板部と、略箱形状のケース部とから形成し、このケース部は、前記ケース部内と前記本体ケース外とを連通する第１のケース開口部を備え、前記ケース部内部に湿度測定基板部を設け、前記本体ケースは、前記本体ケースの一部が前記加湿手段から前記送風手段への風路の風下側である本体ケースの内方へ、へこんだ窪みである窪み部を有し、前記ケース部は、前記窪み部内に設けると共に、前記窪み部と前記ケース部との間に空間部を備え、この空間部を前記本体ケース外の空気が流れる構成としたものであり、これにより、初期の目的を達成するものである。
【発明の効果】
【０００９】
以上のように本発明は、吸気口と排気口とを有する本体ケースと、この本体ケース内に前記吸気口から前記排気口に送風する送風手段と、この送風手段の風上側風路の前記吸気口近傍に加湿手段と、前記本体ケースの側面に湿度測定手段とを設け、この湿度測定手段は、湿度測定基板部と、略箱形状のケース部とから形成し、このケース部は、前記ケース部内と前記本体ケース外とを連通する第１のケース開口部を備え、前記ケース部内部に湿度測定基板部を設け、前記本体ケースは、前記本体ケースの一部が前記加湿手段から前記送風手段への風路の風下側である本体ケースの内方へ、へこんだ窪みである窪み部を有し、前記ケース部は、前記窪み部内に設けると共に、前記窪み部と前記ケース部との間に空間部を備え、この空間部を前記本体ケース外の空気が流れる構成としたものであり、加湿装置の自動加湿運転での使用感の向上ができるものである。
【００１０】
すなわち、ケース部内と本体ケース外とを連通する第１のケース開口部を備え、ケース部内部に湿度測定基板部を設け、ケース部と本体ケースの側面との間に空間部を備え、この空間部を本体ケース外の空気が流れるので、本体ケース内の空気、つまり本体ケース内の部品である送風手段や加湿手段の温度影響を受けた空気が、湿度測定手段であるケース部の外周に接触することがなく、空間部を流れる本体ケース外の空気が、湿度測定手段であるケース部の外面に接触するので、ケース部の温度が本体ケース外の空気の温度に近い温度になり、加湿手段から送風手段への風路の風下側、つまり加湿手段から離れた位置にケース部が位置するので、加湿手段から送風手段への風路内での、加湿手段付近の空気の温度より、ケース部付近の空気の温度が高くなる。結果として、加湿手段から送風手段への風路を流れる空気の温度によるケース部への影響を抑制できる。結果として、ケース部内の温度も本体ケース外の空気の温度に近い温度となるので、第１のケース開口部からケース部内に入る本体ケース外の空気の湿度値の精度の向上を図ることができるものである。
【００１１】
これらの結果により、加湿装置の自動加湿運転での使用感を向上することができるものである。
【図面の簡単な説明】
【００１２】
【図１】本発明の実施の形態１の加湿装置の概略図
【図２】本発明の実施の形態１の加湿装置の概略図
【図３】本発明の実施の形態１の加湿装置の送風手段の概略図
【図４】本発明の実施の形態１の加湿装置の概略図
【図５】本発明の実施の形態１の加湿装置の断面概略図
【図６】本発明の実施の形態１の加湿装置の断面概略図
【図７】本発明の実施の形態１の加湿装置の断面概略図
【発明を実施するための形態】
【００１３】
以下、本実施形態を添付図面を用いて説明する。
【００１４】
（実施の形態１）
図１から図７に示すように、本実施形態の加湿装置は、吸気口１と排気口２を有する本体ケース３と、この本体ケース３内に送風手段１３を設けている。この送風手段１３の風上側風路の吸気口１近傍に加湿手段４を備えている。
【００１５】
本体ケース３は略立方体形状で、背面側の側面に略横長四角形状の吸気口１を設け、天面の背面側に略横長四角形状の排気口２を備えている。
【００１６】
加湿手段４は、一定量の水が入った水槽５と、この水槽５の水に周縁の一部が浸漬された加湿部６である円筒形状の加湿フィルター６ａと、この加湿フィルター６ａを回転させる回転手段７と、水槽５に水を供給する給水部８である給水タンク８ａとから形成されている。
【００１７】
水槽５は天面が開口した略箱形状で、本体ケース３の下部に本体ケース３の背面側から水平方向に引き出せるように摺動可能に設けられ、加湿フィルター６ａを装着する加湿フィルター装着部９と、給水部８である給水タンク８ａを装着する給水タンク装着部１０とを備えている。加湿フィルター装着部９は水槽５の背面側に設けられ、給水タンク装着部１０は水槽５の前面側に設けられている。給水タンク８ａを覆うように前面カバー１１が設けられている。
【００１８】
加湿フィルター６ａは円筒形状で、水槽５の加湿フィルター装着部９に回転可能で、回転軸方向が水平方向となるように装着されている。加湿フィルター６ａの円形状の側面部の片側に歯車１２ａを設け、この歯車１２ａに回転手段７である電動機１２の回転力が伝わり、加湿フィルター６ａが回転するものである。
【００１９】
加湿フィルター６ａは、水槽の水に一部が浸漬した状態で回転するので、加湿フィルター６ａが水を含み、この水を含んだ加湿フィルター６ａへ本体ケース３の吸気口１から吸い込んだ空気を、送風手段１３によって送風することにより、この空気を湿らせる。この湿った空気を排気口２から本体ケース３外へ送風し、加湿するものである。そして、本体ケース３の側面に設けた湿度測定手段１４の湿度値に基づいて、制御手段１４ａによって送風手段１３の風量を変化させ、自動加湿運転を行うものである。
【００２０】
本実施形態における特徴点は、本体ケース３の側面に設けた湿度測定手段１４にある。
【００２１】
この湿度測定手段１４は、略箱形状のケース部１６と、湿度測定基板部１５とから形成し、このケース部１６は、ケース部１６内と本体ケース３外とを連通する第１のケース開口部１７を備えている。ケース部１６内部には、湿度測定基板部１５を設け、ケース部と本体ケース３の側面との間に空間部１８を備え、この空間部１８を本体ケース３外の空気が流れるものである。
【００２２】
具体的には、湿度測定手段１４は、本体ケース３の一側面の上部の窪み部３０内に設け、ケース部１６と、湿度測定基板部１５とから形成している。窪み部３０は、本体ケース３の一側面の上部に位置し、本体ケース３の一側面の一部が、本体ケース３の内方へ、へこんだ略立方体形状の窪みである。ケース部１６は、略縦長箱形状で、本体ケース３の一側面に対向し、本体ケース３の外方側の側面に、ケース部１６内と本体ケース３外とを連通する、複数の略横長四角形状の孔である第１のケース開口部１７を備えている。ケース部１６内で、本体ケース３の一側面に対向し、本体ケース３の内方側の側面寄りに、略四角平板形状の湿度測定基板部１５を設けている。ここで、この湿度測定手段１４である略箱形状のケース部１６が、本体ケース３の一側面の上部の略立方体形状の窪みである窪み部３０内に、この窪み部３０と所定の距離を有し設けられている。
【００２３】
つまり、ケース部１６と本体ケース３の側面の窪み部３０との間の空間、すなわち、ケース部１６の第１のケース開口部１７を有する面以外の５面を覆う空間が、空間部１８である。
【００２４】
このように、ケース部１６内と本体ケース３外とを連通する第１のケース開口部１７を備え、ケース部１６内部に湿度測定基板部１５を設け、ケース部１６と本体ケース３の側面との間に空間部１８を備え、この空間部１８を本体ケース３外の空気が流れるので、本体ケース３内の空気、つまり本体ケース３内の部品である送風手段１３や加湿手段４の温度影響を受けた空気が、湿度測定手段１４であるケース部１６の外周に接触することがなく、空間部１８を流れる本体ケース３外の空気が、湿度測定手段１４であるケース部１６の外面に接触するので、ケース部１６の温度が本体ケース３外の空気の温度に近い温度になり、結果として、ケース部１６内の温度も本体ケース３外の空気の温度に近づけることができるので、第１のケース開口部１７からケース部１６内に入る本体ケース３外の空気の湿度値の精度の向上ができるものである。
【００２５】
これらの結果により、加湿装置の自動加湿運転での使用感を向上することができるものである。
【００２６】
また、送風手段１３は、ケーシング１９と、このケーシング１９に配設した電動機２０と、この電動機２０により回転する羽根２１とから形成し、ケーシング１９は、吸込口２２と吐出口２３とを有している。空間部１８は、第１の開口部２４と第２の開口部２５とを備え、第１の開口部２４は、本体ケース３外と連通し、第２の開口部２５と、ケーシング１９の吸込口２２とを連通する連通路２６を設けたものである。
【００２７】
具体的には、送風手段１３は、ケーシング１９と、電動機２０と、羽根２１とから形成し、ケーシング１９はスクロール形状で、側面には円形状の吸込口２２を、天面には略四角形状の吐出口２３を備えている。電動機２０により回転する羽根２１は、シロッコ型で、円板形状の主板２７の中央部には、電動機２０から延びた軸部２０ａと固定する略円筒形状の軸受部２８を、周縁部には、断面形状が略円弧形状の複数の翼部２９を設けている。
【００２８】
また、空間部１８は、第１の開口部２４と第２の開口部２５とを備え、第１の開口部２４は、略四角形状の開口で本体ケース３外と連通し、第２の開口部２５は、略四角形状の開口で、ケーシング１９の吸込口２２と連通する連通路２６に連通している。連通路２６は、本体ケース３の一側面の上部に位置し、垂直上方に延びた垂直連通路部分２６ａと、この垂直連通路部分２６ａとケーシング１９の吸込口２２とを連通する水平開口部分２６ｂとから形成している。
【００２９】
ここで、送風手段１３が動作すると、吸気口１および第１の開口部２４より本体ケース３外の空気が吸い込まれものである。まず、吸気口１から吸い込んだ空気は、加湿手段４である水を含んだ加湿フィルター６ａで湿気を含み、送風手段１３を介して排気口２から本体ケース３外へ送風される。また、第１の開口部２４より吸い込んだ空気は、空間部１８、第２の開口部２５、連通路２６、送風手段１３を順次介して、排気口２から本体ケース３外へ送風される。
【００３０】
すなわち、送風手段１３が動作すると、空間部１８を本体ケース３外の空気が流れるので、本体ケース３内の空気、つまり本体ケース３内の部品である送風手段１３や加湿手段４の温度影響を受けた空気が、湿度測定手段１４であるケース部１６の外周に接触することがなく、空間部１８を流れる本体ケース３外の空気が、湿度測定手段１４であるケース部１６の外面に接触するので、ケース部１６の温度が本体ケース３外の空気の温度に近い温度になり、結果として、ケース部１６内の温度を本体ケース３外の空気の温度に近づけることができ、第１のケース開口部１７からケース部１６内に入る本体ケース３外の空気の湿度値の精度の向上ができるものである。
【００３１】
また、空間部１８の第１の開口部２４は、空間部１８の第２の開口部２５より下部に位置する構成としたものである。すなわち、空間部１８の一部である窪み部３０の本体ケース３の内方は、送風手段１３によって、本体ケース３の吸気口１から吸い込んだ空気が、水を含んだ加湿フィルター６ａを介し流れており、この水を含んだ加湿フィルター６ａを介し流れる空気は、水を含んだ加湿フィルター６ａを通過するときに、加湿フィルター６ａに含まれた水を気化させるので、気化熱が奪われ、湿度は高いが、温度が低下する。つまり、水を含んだ加湿フィルター６ａを介し流れる空気によって、窪み部３０が冷やされるものである。
【００３２】
結果として、空間部１８の窪み部３０近傍の空気が冷やされるので、この空間部１８の窪み部３０近傍の空気より、本体ケース３外の空気の温度が高いので、空間部１８の第１の開口部２４から入った空気は、この空間部１８の第１の開口部２４より上部に位置する空間部１８の第２の開口部２５へ流れやすくなり、空間部１８を流れる本体ケース３外の空気が増えるので、ケース部１６内の温度も本体ケース３外の空気の温度により近づけることができる。
【００３３】
また、湿度測定手段１４である湿度測定基板部１５は、基板部品３１と、この基板部品３１に装着された湿度測定部品３２とから形成し、基板部品３１は、ケース部１６と所定の距離を有した構成としたものである。具体的には、ケース部１６内で、本体ケース３の一側面に対向し、本体ケース３の内方側の側面寄りに、略四角平板形状の湿度測定基板部１５を設けている。この湿度測定手段１４である湿度測定基板部１５は、基板部品３１と、この基板部品３１に装着された湿度測定部品３２とから形成し、基板部品３１は、ケース部１６の内面と、所定の距離を有した構成としたものである。これにより、ケース部１６の温度影響を抑制することができる。
【００３４】
また、湿度測定手段１４であるケース部１６は、加湿手段４から送風手段１３への風路の風下側に位置する構成としたものである。具体的には、湿度測定手段１４であるケース部１６は、加湿手段４から送風手段１３への風路の風下側である送風手段１３のケーシング１９の吸込口２２に対向した位置に構成するものである。すなわち、送風手段１３によって、本体ケース３の吸気口１から吸い込んだ空気が、水を含んだ加湿フィルター６ａを通過する、この水を含んだ加湿フィルター６ａを通過するときに、加湿フィルター６ａに含まれた水を気化させるので、気化熱が奪われ、湿度は高いが、温度が低下する。ここで加湿手段４から送風手段１３への風路の風下側、つまり加湿手段４から離れた位置にケース部１６が位置するので、加湿手段４から送風手段１３への風路内での、加湿手段４付近の空気の温度より、ケース部１６付近の空気の温度が高くなる。結果として、加湿手段４から送風手段１３への風路を流れる空気の温度によるケース部１６への影響を抑制できる。
【００３５】
また、ケース部１６の周囲の空間部１８の第１の開口部２４は、吸気口１と隣接した構成としたものである。具体的には、吸気口１は、略立方体形状の本体ケース３背面側の側面に略横長四角形状で設けられ、この吸気口１の上部一側端部に略四角形状の第１の開口部２４が、位置するものである。すなわち、送風手段１３によって、吸気口１から本体ケース３内に吸い込まれる空気の一部は、第１の開口部２４の近傍から流れるので、第１の開口部２４にも流れ込み易くすることができる。
【００３６】
また、送風手段１３は、ケーシング１９と、このケーシング１９内に配設した電動機２０と、この電動機２０により回転する羽根２１とから形成し、ケーシング１９は、吸込口２２と吐出口２３とを有し、湿度測定手段１４であるケース部１６は、第２のケース開口部３３を備え、この第２のケース開口部３３は、ケーシング１９の吸込口２２とを連通路２６を介して連通したものである。具体的には、送風手段１３が動作すると、吸気口１および第１の開口部２４より本体ケース３外の空気が吸い込まれものである。まず、吸気口１から吸い込んだ空気は、加湿手段４である水を含んだ加湿フィルター６ａで湿気を含み、送風手段１３を介して排気口２から本体ケース３外へ送風される。また、第１の開口部２４より吸い込んだ空気は、空間部１８、第２の開口部２５、連通路２６、送風手段１３を順次介して、排気口２から本体ケース３外へ送風される。また、第１のケース開口部１７より吸い込んだ空気は、ケース部１６内から第２のケース開口部３３、連通路２６、送風手段１３を順次介して、排気口２から本体ケース３外へ送風される。
【００３７】
すなわち、送風手段１３が動作すると、本体ケース３外の空気が、第１のケース開口部１７より、ケース部１６内の湿度測定手段１４に流れるので、本体ケース３外の空気の湿度値の精度の向上ができるものである。
【００３８】
また、湿度測定手段１４であるケース部１６の第１のケース開口部１７は、湿度測定手段１４であるケース部１６の第２のケース開口部３３より上部に位置する構成としたものである。具体的には、ケース部１６の上部には、第１のケース開口部１７を設け、ケース部１６の下部には、第２のケース開口部３３が位置するものである。
【００３９】
すなわち、空間部１８の一部である窪み部３０の内方は、送風手段１３によって、本体ケース３の吸気口１から吸い込んだ空気が、水を含んだ加湿フィルター６ａを介し流れており、この水を含んだ加湿フィルター６ａを介し流れる空気は、水を含んだ加湿フィルター６ａを通過するときに、加湿フィルター６ａに含まれた水を気化させるので、気化熱が奪われ、湿度は高いが、温度が低下する。つまり、水を含んだ加湿フィルター６ａを介し流れる空気によって、窪み部３０が冷やされるものである。この冷やされた窪み部３０によって、ケース部１６の内部の温度が低下する場合にも、ケース部１６の内部の冷やされた空気は、ケース部１６の下部に流れるので、ケース部１６の第１のケース開口部１７から入った空気は、ケース部１６内を介して、ケース部１６の第２のケース開口部３３へ流れ易くなり、ケース部１６内の湿度測定手段１４に多くの本体ケース３外の空気が流れるので、本体ケース３外の空気の湿度値の精度の向上ができるものである。
【００４０】
また、湿度測定基板部１５である湿度測定部品３２は、第１のケース開口部１７に対向した位置に構成したものである。すなわち、送風手段１３が動作すると、本体ケース３外の空気が、第１のケース開口部１７より、ケース部１６内の湿度測定手段１４に流れる。ここで、湿度測定基板部１５である湿度測定部品３２は、第１のケース開口部１７に対向した位置に構成したので、本体ケース３外の空気が、第１のケース開口部１７より、ケース部１６内の湿度測定手段１４である湿度測定部品３２に流れるので、本体ケース３外の空気の湿度値の精度の向上ができるものである。
【００４１】
また、連通路２６は、垂直連通路部分２６ａと水平開口部分２６ｂとから形成し、空間部１８の第２の開口部２５と、ケース部１６の第２のケース開口部３３とは、連通路２６の垂直連通路部分２６ａに開口したものである。具体的には、連通路２６は、本体ケース３の一側面の上部に位置し、ケース部１６の第２のケース開口部３３から垂直上方に延びた垂直連通路部分２６ａと、この垂直連通路部分２６ａとケーシング１９の吸込口２２とを連通する水平開口部分２６ｂとから形成している。この垂直連通路部分２６ａに空間部１８の第２の開口部２５が開口している。この垂直連通路部分２６ａの本体ケース３における内方部分は、送風手段１３によって、本体ケース３の吸気口１から吸い込んだ空気が、水を含んだ加湿フィルター６ａを介し流れており、この水を含んだ加湿フィルター６ａを介し流れる空気は、水を含んだ加湿フィルター６ａを通過するときに、加湿フィルター６ａに含まれた水を気化させるので、気化熱が奪われ、湿度は高いが、温度が低下する。つまり、水を含んだ加湿フィルター６ａを介し流れる空気によって、垂直連通路部分２６ａの本体ケース３における内方部分が冷やされるものである。
【００４２】
結果として、垂直連通路部分２６ａと水平開口部分２６ｂの本体ケース３における内方部分近傍の空気が冷やされるので、この垂直連通路部分２６ａの本体ケース３における内方部分近傍の空気より、本体ケース３外の空気の温度が高いので、空間部１８の第２の開口部２５と、ケース部１６の第２のケース開口部３３から垂直連通路部分２６ａに入った空気は、この垂直連通路部分２６ａより上部に位置する水平開口部分２６ｂへ流れやすくなり、空間部１８、およびケース部１６内を流れる本体ケース３外の空気が増えるので、ケース部１６内の温度も本体ケース３外の空気の温度により近づけることができ、第１のケース開口部１７からケース部１６内に入る本体ケース３外の空気の湿度値の精度の向上ができるものである。
【産業上の利用可能性】
【００４３】
以上のように本発明は、吸気口と排気口とを有する本体ケースと、この本体ケース内に前記吸気口から前記排気口に送風する送風手段と、この送風手段の風上側風路の前記吸気口近傍に加湿手段と、前記本体ケースの側面に湿度測定手段とを設け、この湿度測定手段は、湿度測定基板部と、略箱形状のケース部とから形成し、このケース部は、前記ケース部内と前記本体ケース外とを連通する第１のケース開口部を備え、前記ケース部内部に湿度測定基板部を設け、前記ケース部と前記本体ケースの側面との間に空間部を備え、この空間部を前記本体ケース外の空気が流れる構成としたものであり、加湿装置の自動加湿運転での使用感の向上ができるものである。
【００４４】
すなわち、ケース部内と本体ケース外とを連通する第１のケース開口部を備え、ケース部内部に湿度測定基板部を設け、ケース部と本体ケースの側面との間に空間部を備え、この空間部を本体ケース外の空気が流れるので、本体ケース内の空気、つまり本体ケース内の部品である送風手段や加湿手段の温度影響を受けた空気が、湿度測定手段であるケース部の外周に接触することがなく、空間部を流れる本体ケース外の空気が、湿度測定手段であるケース部の外面に接触するので、ケース部の温度が本体ケース外の空気の温度に近い温度になり、結果として、ケース部内の温度も本体ケース外の空気の温度に近い温度となるので、第１のケース開口部からケース部内に入る本体ケース外の空気の湿度値の精度の向上ができるものである。
【００４５】
これらの結果により、加湿装置の自動加湿運転での使用感を向上することができるものである。
【００４６】
従って、家庭用や事務所用などの、加湿装置として活用が期待されるものである。
【符号の説明】
【００４７】
１      吸気口
２      排気口
３      本体ケース
４      加湿手段
５      水槽
６      加湿部
６ａ    加湿フィルター
７      回転手段
８      給水部
８ａ    給水タンク
９      加湿フィルター装着部
１０    給水タンク装着部
１１    前面カバー
１２    電動機
１２ａ  歯車
１３    送風手段
１４    湿度測定手段
１４ａ  制御手段
１５    湿度測定基板部
１６    ケース部
１７    第１のケース開口部
１８    空間部
１９    ケーシング
２０    電動機
２０ａ  軸部
２１    羽根
２２    吸込口
２３    吐出口
２４    第１の開口部
２５    第２の開口部
２６    連通路
２６ａ  垂直連通路部分
２６ｂ  水平開口部分
２７    主板
２８    軸受部
２９    翼部
３０    窪み部
３１    基板部品
３２    湿度測定部品
３３    第２のケース開口部
【図１】
0005381495.tif 000002
【図２】
0005381495.tif 000003
【図３】
0005381495.tif 000004
【図４】
0005381495.tif 000005
【図５】
0005381495.tif 000006
【図６】
0005381495.tif 000007
【図７】
0005381495.tif 000008